(57)【要約】【課題】本発明は、短時間で組立を行うことができる流体継手の提供を課題とする。【解決手段】入力軸１２と、ポンプ羽根車２５と、領域２６内を満たすオイル２８と、タービン羽根車３１と、出力軸１４とからなる流体継手１３において、タービン羽根車３１にスプライン穴５１が設けられ、出力軸１４にスプライン穴５１に嵌合するスプライン軸５３が設けられていると共に、基部の端面に、回転具６２を掛けることができる溝５４が設けられていることを特徴とする。【効果】スプライン穴５１との位相が合ったところで、タービン羽根車３１がスプライン軸５３に嵌合される。位相の合う位置までスプライン軸５３を強制的に回転させるため、位相を合せるのにかかる時間が短時間で済む。【選択図】図２
2010286065.tif 000002
【特許請求の範囲】
【請求項１】
外部からの駆動力が伝えられる入力軸と、この入力軸に繋げられ回転されるポンプ羽根車と、このポンプ羽根車によって囲われた領域内を満たすオイルと、このオイル中に配置され前記ポンプ羽根車が回転する際に前記オイルの粘性で回転されるタービン羽根車と、このタービン羽根車に繋げられ前記駆動力を伝えるための出力軸とからなる流体継手において、
前記タービン羽根車にスプライン穴が設けられ、前記出力軸の基部に前記スプライン穴に嵌合するスプライン軸が設けられていると共に、前記基部の端面に、回転具を掛けることができる溝が設けられていることを特徴とする流体継手。
【請求項２】
前記出力軸は、中間部が軸受で支持され、この中間部に、前記軸受に当てる段部が設けられていることを特徴とする請求項１記載の流体継手。
【発明の詳細な説明】
【技術分野】
【０００１】
本発明は、流体継手の改良技術に関する。
【背景技術】
【０００２】
ポンプ羽根車でタービン羽根車を回転させる流体継手が知られている。（例えば、特許文献１（図３）参照。）。
【０００３】
特許文献１の図３の要部を図５（ｂ）、同分解図を図５（ａ）で説明する。
（ｂ）に示すように、タービン羽根車１０２をポンプ羽根車基部１０４とポンプ羽根車１０５の羽根車部１０６とで挟み、ポンプ羽根車基部１０４を、ポンプ羽根車１０５の羽根車部１０６に取付けることで、流体継手１１０が完成する。
【０００４】
図５（ａ）に示すように、スプライン穴１０１が切られたタービン羽根車１０２を、スプライン軸１０３に嵌め込むことで、タービン羽根車１０２はスプライン軸１０３に固定される。
【０００５】
スプライン穴１０１をスプライン軸１０３に嵌込む際に、スプライン穴１０１の位相がスプライン軸１０３の位相に対して合わないと、タービン羽根車１０２を組付けることができない。
【０００６】
しかし、タービン羽根車１０２がポンプ羽根車１０５内を自由に回転することと、スプライン軸１０３を上方から覗くことができないことで、位相を合わせるのに時間がかかる。
このため、流体継手の組立作業に時間がかかる。
【０００７】
短時間で組立を行うことができる流体継手の提供が望まれる。
【先行技術文献】
【特許文献】
【０００８】
【特許文献１】特開２００７−３１５４９９公報
【発明の概要】
【発明が解決しようとする課題】
【０００９】
本発明は、短時間で組立を行うことができる流体継手の提供を課題とする。
【課題を解決するための手段】
【００１０】
請求項１に係る発明は、外部からの駆動力が伝えられる入力軸と、この入力軸に繋げられ回転されるポンプ羽根車と、このポンプ羽根車によって囲われた領域内を満たすオイルと、このオイル中に配置され前記ポンプ羽根車が回転する際に前記オイルの粘性で回転されるタービン羽根車と、このタービン羽根車に繋げられ前記駆動力を伝えるための出力軸とからなる流体継手において、
前記タービン羽根車にスプライン穴が設けられ、前記出力軸の基部に前記スプライン穴に嵌合するスプライン軸が設けられていると共に、前記基部の端面に、回転具を掛けることができる溝が設けられていることを特徴とする。
【００１１】
請求項２に係る発明は、出力軸は、中間部が軸受で支持され、この中間部に、軸受に当てる段部が設けられていることを特徴とする。
【発明の効果】
【００１２】
請求項１に係る発明では、基部の端面に、回転具を掛けることができる溝が設けられている。タービン羽根車をスプライン軸の上面に載置した状態で、溝に回転具を掛け、回転具と共にスプライン軸を回転させる。スプライン穴との位相が合ったところで、タービン羽根車がスプライン軸に嵌合される。位相の合う位置までスプライン軸を強制的に回転させるため、位相を合せるのにかかる時間が短時間で済む。このことにより、短時間で流体継手の組立を行うことができる。
【００１３】
請求項２に係る発明では、出力軸は、中間部が軸受で支持され、この中間部に、軸受に当てる段部が設けられている。段部が軸受に当たることで、出力軸が支持される。このような構成とすることで、出力軸が軸受側へ抜けることを防止することができる。
【００１４】
加えて、組立の際には、軸受によって止められる位置まで出力軸を押込む。これにより、正確な位置に出力軸を配置することができる。正確な位置で出力軸が止まる構成とすることで、素早く出力軸を配置させることができる。このことにより、短時間で流体継手の組立を行うことができる。
【図面の簡単な説明】
【００１５】
【図１】本発明に係る流体継手を搭載した芝刈機を説明する図である。
【図２】本発明に係る流体継手の断面図である。
【図３】本発明に係るタービン羽根車を出力軸に取付ける作業を説明する図である。
【図４】図２の４部拡大図である。
【図５】従来の技術の基本構成を説明する図である。
【発明を実施するための形態】
【００１６】
本発明の実施の形態を添付図に基づいて以下に説明する。なお、図面は符号の向きに見るものとする。
【実施例】
【００１７】
図１に示されるように、芝刈機１０は、エンジン１１と、このエンジン１１からの駆動力が伝えられる入力軸１２を介してエンジン１１に繋げられるトランスミッション１３と、このトランスミッション１３から外部に向かって延ばされる出力軸１４と、この出力軸１４に繋げられ芝生等を刈る作業部１５と、これらのエンジン１１、トランスミッション１３及び作業部１５を囲うカバー１６と、このカバー１６の両端に配置され走行するための前後の車輪１７、１８と、後方の車輪１８の上方から延ばされ操舵するためのハンドル１９とからなる。
【００１８】
トランスミッション１３と、このトランスミッション１３に繋げられる作業部１５とは、同一の垂直軸上に配置されている。
トランスミッションの詳細を次図で説明する。
【００１９】
図２に示されるように、トランスミッション１３は、左右のボルト２３、２３により固定される分割式のケース２４内に、流体継手２０を配置してなる。
流体継手２０は、ケース２４の上方中央で支持され駆動力が伝えられる入力軸１２と、この入力軸１２に支持され入力軸１２が回転することで同時に回転されるポンプ羽根車２５と、このポンプ羽根車２５によって囲われた領域２６に配置されるステータ２７と、このステータ２７と同じく領域２６内に配置されポンプ羽根車２５が回転する際に領域２６内を満たすオイル２８の粘性で回転されるタービン羽根車３１と、このタービン羽根車３１が繋がれタービン羽根車３１が回転することで同時に回転され駆動力を作業部１５へ伝える出力軸１４とからなる。
【００２０】
ポンプ羽根車２５は、入力軸１２によって支持され外周面にフィン３２、３２が配置されている羽根車基部３３と、この羽根車基部３３に対して溶接部３４を介して接続され外周面にフィン３５、３５が配置されている羽根車部３６とから構成される。
【００２１】
羽根車基部３３は、入力軸１２と、この入力軸１２の下方に配置される軸受３８とで支持され、羽根車部３６は、ケース２４にボルト３９で固定された支持部材４２に、シール４３と、玉軸受４５とを介して支持されている。
【００２２】
ステータ２７は、支持部材４２に嵌合されたステータ支持部材４６によって支持されている。
羽根車部３６の端部に配置される突起部４８と、ステータ２７の下面との間には、スラスト軸受４９が配置される。
【００２３】
出力軸１４は、基部に配置されタービン羽根車３１のスプライン穴５１に嵌合するスプライン軸５３と、基部の端面にマイナスドライバ等の回転具を掛けることができる溝５４と、中間部に配置され軸受５０に当てられる段部５５と、下端に配置され作業部１５を接続するためのボルト５６が通される雌ねじ穴５７とを有する。
【００２４】
段部５５は、溝５４から雌ねじ穴５７に向かって径が大きくなるテーパ部５８の下面に形成される。テーパ部５８の下端に段部５５を配置することで、段部５５のみの場合に比べ段部５５の強度を高めることができる。
【００２５】
入力軸１２及び出力軸１４には、オイル２８が循環されるオイル流路５９が設けられる。このオイル流路５９内には、オイル２８の逆流を防止するためのシール６１が配置される。
【００２６】
エンジン（図１符号１１）を作動させると、入力軸１２及び入力軸１２に繋げられるポンプ羽根車２５が回転される。ポンプ羽根車２５が回転すると、オイル２８の粘性によりタービン羽根車３１も回転される。これによりタービン羽根車３１に繋げられる出力軸１４も回転し、作業部１５に仕事を行わせることができる。
【００２７】
このとき、ケース２４と、このケース２４に支持される支持部材４２と、この支持部材４２に支持されるステータ支持部材４６と、このステータ支持部材４６に支持されるステータ２７は回転しない。
流体継手２０の組立作業について次図で説明する。
【００２８】
図３（ａ）で示すように、入力軸（図１符号１２）及び出力軸１４が組付けられていない流体継手の主要部４０を出力軸１４の上方に準備し、主要部４０をスプライン軸５３の上面に向かって降下させる。
【００２９】
次に、（ｂ）に示すように、出力軸１４の溝５４に回転具６２を掛ける。
回転具６２を掛けたら、回転具６２を回転させることで、出力軸１４を回転させる。このとき、スプライン穴５１の位相にスプライン軸５３の位相が合致するまで回転具６２を回転させる。
スプライン穴５１に対してスプライン軸５３の位相が合うと、主要部４０がスプライン軸５３に嵌合される。
【００３０】
基部の端面に、回転具６２を掛けることができる溝５４が設けられている。溝５４に回転具６２を掛け、主要部４０をスプライン軸５３の上面に載置し、回転具６２と共にスプライン軸５３を回転させる。スプライン穴５１との位相が合ったところで、主要部４０がスプライン軸５３に嵌合される。位相の合う位置までスプライン軸５３を強制的に回転させるため、位相を合せるのにかかる時間が短時間で済む。このことにより、短時間で流体継手２０の組立を行うことができる。
図２に示した段部５５の作用を、次図で説明する。
【００３１】
図４に示すように、アンギュラ軸受等の軸受５０は外輪６４がケース２４に支持され、この軸受５０の内輪６５で出力軸１４の段部５５を支持している。内輪６５にケース２４が接触しないよう、ケース２４の先端部６６は、内輪６５の下面に配置される部分が削り取られている。これにより、シール６７の移動を防止しつつ、内輪６５への接触を防ぐことができる。
【００３２】
出力軸１４は、中間部が軸受５０で支持され、この中間部に、軸受５０に当てる段部５５が設けられている。段部５５が軸受５０に当たることで、出力軸１４が支持される。このような構成とすることで、出力軸１４が軸受５０側へ抜けることを防止することができる。
【００３３】
特に、出力軸１４及び作業部（図２符号１５）が水平軸に対して垂直に配置される場合、作業部の重さによる出力軸の抜けを防止する必要がある。段部５５を設けることで、出力軸１４の抜けを防止することができる。段部５５を設けるだけで、他に抜けを防止するための手段を講ずる必要がない。このため、部品点数の削減に繋がり、トランスミッションの小型化を図ることができる。
【００３４】
加えて、組立の際には、軸受５０によって止められる位置まで出力軸１４を押込む。これにより、正確な位置に出力軸１４を配置することができる。正確な位置で出力軸１４が止まる構成とすることで、素早く出力軸１４を配置させることができる。このことにより、短時間で流体継手２０の組立を行うことができる。
【００３５】
尚、本発明に係る流体継手は、実施の形態では芝刈機に適用したが、耕耘機や除雪機にも適用可能であり、これらのものに用途は限定されない。
【産業上の利用可能性】
【００３６】
本発明の流体継手は、芝刈機に好適である。
【符号の説明】
【００３７】
１２…入力軸、１４…出力軸、２０…流体継手、２５…ポンプ羽根車、２６…領域、２８…オイル、３１…タービン羽根車、５０…軸受、５１…スプライン穴、５３…スプライン軸、５４…溝、５５…段部、６２…回転具。
【図１】
2010286065.tif 000003
【図２】
2010286065.tif 000004
【図３】
2010286065.tif 000005
【図４】
2010286065.tif 000006
【図５】
2010286065.tif 000007